(57)【要約】【課題】船内設備状態をネットワークの渋滞状況に関係なく、重要端末からの画面表示要求に対して高速に画面表示させると共にデータ更新表示を迅速に実施できることを目的とする。【解決手段】船舶内の各種設備の状態を船内ネットワーク２０に接続された船内設備監視制御システム２に設けられたＷｅｂサーバ１からその設備の状態監視画面をＷｅｂ配信し、クライアント端末側３のＷｅｂ画面にて、その設備の監視を実施するものにおいて、Ｗｅｂサーバ側にて、データ更新速度の異なる高速更新データファイル１５と通常更新データファイル１６の２種類を用意し、Ｗｅｂサーバ側にて、表示要求のあったクライアント端末のＩＰアドレスを認識し、ＩＰアドレスに対応したファイルを読み込ませることにより、特定の重要クライアント端末に対し、Ｗｅｂ画面表示におけるデータ更新高速化を実現する。【選択図】図１
2007128170.tif 000002
【特許請求の範囲】
【請求項１】
船舶内の各種設備の状態を監視する場合、船内ネットワークに接続された船内設備監視制御システムに設けられたＷｅｂサーバからその設備の状態監視画面をＷｅｂ配信し、クライアント端末側のＷｅｂ画面にて、その設備の監視を実施する船内設備監視制御システムにおいて、Ｗｅｂサーバ側にて、データ更新速度の異なる高速更新データファイルと通常更新データファイルの２種類を用意しておき、Ｗｅｂサーバ側にて、表示要求のあったクライアント端末のＩＰアドレスを認識し、ＩＰアドレスに対応したファイルを読み込ませることにより、特定の重要クライアント端末に対し、Ｗｅｂ画面表示におけるデータ更新高速化を実現することを特徴とする船内設備監視制御システムのＷｅｂ画面制御方法。
【請求項２】
Ｗｅｂサーバ側に、クライアント端末側が要求する閲覧データ更新周期に対応するために、速度の異なる２種類の速度にて更新される高速更新データファイルと通常更新データファイルを有する設備状態データ処理手段と、クライアント端末のＩＰアドレスを登録するアドレステーブルと、ＩＰアドレスに対応してクライアント端末毎に要求するデータ更新速度情報が登録されたデータ更新速度テーブルと、クライアント端末のＩＰアドレスが登録されたアドレステーブルとデータ更新速度テーブルを参照して開設要求を行ったクライアント端末の要求データ更新速度を認識するテーブル管理手段とを備えたことを特徴とする請求項１記載の船内設備監視制御システムのＷｅｂ画面制御方法。
【請求項３】
データ更新速度テーブルに登録している高速更新データファイルを配信する重要端末の数は、Ｗｅｂサーバの処理能力を低下させない程度に制限することを特徴とする請求項２記載の船内設備監視制御システムのＷｅｂ画面制御方法。
【発明の詳細な説明】
【技術分野】
【０００１】
この発明は、船内設備監視制御システムのＷｅｂ画面表示制御方法、特に複数のクライアント端末とネットワークを介して接続されるサーバ及びサーバにおけるＷｅｂ閲覧データ配信方法に関するものである。
【背景技術】
【０００２】
近年、クライアント／サーバ・システムを用いた監視システムが登場している（例えば、特許文献１参照）。このようなシステムでは、任意のクライアントがサーバに対してコネクション開設要求を行い、サーバの許容能力の範囲の台数のクライアントがコネクション維持状態となることができる。
【０００３】
上記の監視システムの場合、サーバの許容能力の範囲の最大数のクライアントがコネクション維持状態となっているときに、新たにクライアントからコネクション開設要求が到来すると、サーバはこの要求を拒否するので、監視システムに入ることのできないクライアントが生じる問題がある。
【０００４】
この問題を解決する為に、サーバにおいて、ネットワークを介して接続され、コネクション維持状態にあるクライアントのＩＰアドレスを登録するアドレステーブルを備え、このアドレステーブルに登録されたＩＰアドレスに対応してコネクションの優先度情報が登録された優先度テーブルと、該サーバが許容する最大数のクライアントのＩＰアドレスが前記アドレステーブルに登録された状態においてクライアントからコネクション開設要求があると、前記アドレステーブル及び前記優先度テーブルを参照して前記開設要求を行ったクライアントの優先度以下の優先度を持つコネクション維持状態のクライアントを求め、該クライアントのＩＰアドレスを前記アドレステーブルから削除すると共に、前記アドレステーブルヘ前記開設要求を行ったクライアントのＩＰアドレスを登録するテーブル管理手段とを具備するサーバ、サーバにおけるコネクション管理方法が提案されている（例えば、特許文献２参照）。
【０００５】
【特許文献１】特開２０００−３３３０６８号公報
【特許文献２】特開２００３−２９６２７０号公報
【発明の開示】
【発明が解決しようとする課題】
【０００６】
しかしながら、上記のようなサーバにおけるコネクション管理方法を用いて、船内設備状態をＷｅｂ監視する場合、例えば、船長や機関長等の重要端末に優先権を付与し、優先度の高い端末がアクセス中であれば、優先度の低い端末を待ち状態とすることにより、優先度の高い端末におけるアクセス性能の向上を図ったとしても、従来のＷｅｂ監視方式では、ネットワーク接続された全ての端末でのＷｅｂ画面表示速度及びデータ更新速度が同じである為、ネットワークの渋滞状況によっては、重要端末での画面表示やデータ更新に時間を要し、船内設備状態監視に支障を来たすことがあった。
【０００７】
この発明は、上記のような課題を解決するためになされたものであり、船内設備状態をＷｅｂ監視する場合、ネットワークの渋滞状況に関係なく、船長や機関長等の重要端末からの画面表示要求に対して高速に画面表示させると共にデータ更新表示を迅速に実施できる為、船内状態を瞬時に把握でき、迅速な指揮命令の実現に寄与することができることを目的とする。
【課題を解決するための手段】
【０００８】
この発明に係る船内設備監視制御システムのＷｅｂ画面表示制御方法は、船舶内の各種設備の状態を監視する場合、船内ネットワークに接続された船内設備監視制御システムに設けられたＷｅｂサーバからその設備の状態監視画面をＷｅｂ配信し、クライアント端末側のＷｅｂ画面にて、その設備の監視を実施するものにおいて、Ｗｅｂサーバ側にて、データ更新速度の異なる高速更新データファイルと通常更新データファイルの２種類を用意しておき、Ｗｅｂサーバ側にて、表示要求のあったクライアント端末のＩＰアドレスを認識し、ＩＰアドレスに対応したファイルを読み込ませることにより、特定の重要クライアント端末に対し、Ｗｅｂ画面表示におけるデータ更新高速化を実現するものである。
【発明の効果】
【０００９】
以上、説明したように、この発明によれば、船内設備状態をＷｅｂ監視する場合、ネットワークの渋滞状況に関係なく、船長や機関長等の重要端末からの画面表示要求に対して高速に画面表示させると共にデータ更新表示を迅速に実施できる為、船内状態を瞬時に把握でき、迅速な指揮命令の実現に寄与することができる。
【００１０】
また、サーバ内に設けたクライアント送信用のデータファイルを高速更新と通常更新の２種類にて構築することにより、サーバの処理負荷を軽減することができ、信頼性の高い監視システムを構築することができる。
【発明を実施するための最良の形態】
【００１１】
実施の形態１．
以下、この発明の実施の形態１について図１に基づいて説明する。
図１はこの発明に係るサーバを用いた船内設備監視システムの構成を示す。この船内設備監視システムでは、船内ネットワーク２０にサーバ１、クライアント端末３−１〜３−Ｘが接続されている。なお、図中には２端末のみ記載している。
【００１２】
２は船舶内の制御室等に設置された船内各種設備の監視制御システムであり、船舶内の機関や電源等の各装置の監視及び制御を実施するものである。この船内設備監視制御システム２は、監視制御装置２１及び装置の状態を検出するセンサ類２３、各装置に対する制御を実施するアクチュエータ類２４、及びセンサ類２３及びアクチュエータ類２４への信号の入出力処理を行う信号入出力装置２２により構成され、サーバ１に接続される。
【００１３】
サーバ１は、クライアント端末３−１〜３−Ｘのアクセスを受けて船内設備監視制御システム２の設備状態情報を送出するためのデータを表示するプログラム（ＨＴＭＬソースなど）を提供するＷＷＷサーバ１０を有する。また、サーバ１は、設備状態をクライアント端末３−１〜３−Ｘへ提供するサイトヘセットするための設備状態データ処理手段１４を備えている。この設備状態データ処理手段１４はクライアント端末側が要求する閲覧データ更新周期に対応する為に、高速と通常の２種類の速度にて更新される高速更新データファイル１５と通常更新データファイル１６とを有している。
【００１４】
サーバ１は、ＷＷＷサーバ１０と設備状態データ処理手段１４の他に、アドレステーブル１１、データ更新速度テーブル１２、テーブル管理手段１３を備えている。アドレステーブル１１は、コネクション維持状態にあるクライアント端末のＩＰアドレスを登録するものである。このアドレステーブル１１には、当該サーバ１がコネクション維持状態を許容する最大数のクライアント端末のＩＰアドレスを登録可能である。
【００１５】
データ更新速度テーブル１２は、ＩＰアドレスに対応してクライアント端末毎に要求するデータ更新速度情報が登録されたものである。
【００１６】
テーブル管理手段１３は、クライアント端末のＩＰアドレスが登録されたアドレステーブル１１とデータ更新速度テーブル１２を参照して開設要求を行ったクライアント端末の要求データ更新速度を認識する機構をもつものである。
【００１７】
また、クライアント端末３−１〜３−Ｘには、Ｗｅｂプラウザ３１が具備されており、これによりサーバ１のＷＷＷサーバ１０をアクセスするように構成されている。
【００１８】
次に、動作について説明する。船内設備の状態信号は、船内設備監視制御システム２の信号入出力装置２２にて、装置の状態を検出するセンサ類２３、各装置に対する制御を実施するアクチュエータ類２４の信号を収集し、監視制御装置２１にて送信データとして取りまとめられた後、サーバ１へ送られる。この際、サーバ１への送信周期は、サーバ１内の設備状態データ処理手段１４の高速データ更新に対応できる速度、すなわち高速データ更新より早い速度で送信されている。
【００１９】
船内設備監視制御システム２からサーバ１へ送信された船内設備の状態信号は、サーバ１内の設備状態データ処理手段１４にて、高速更新データファイル１５と通常更新データファイル１６の両方にデータを蓄積する。ここで、高速更新の速度は、船内設備監視制御システム２にて実施される制御周期程度（例えば、５０msec）の更新周期を指し、通常更新の速度は、船内設備監視制御システム２の監視制御装置２１の監視画面の表示更新速度（例えば、２sec）の更新周期を指すものである。
【００２０】
高速更新データファイル１５は、船長や機関長等の重要端末への配信データとして用いられ、また通常更新データファイル１６は、重要端末よりはデータ更新速度を要求していない一般の端末への配信データとして用いられるものである。これにより、高速データ更新を要求される船長や機関長等の重要端末の要求スペックにてサーバ１の全ての処理性能を対応させる必要が無くなり、サーバ１の処理負荷を軽減させ信頼性の高いシステムとして構築することが可能となる。
【００２１】
サーバ１のテーブル管理手段１３は、クライアント端末のＩＰアドレスがアドレステーブル１１に登録された状態においてクライアント端末からコネクション開設要求があると、アドレステーブル１１及びデータ更新速度テーブル１２を参照して開設要求を行ったクライアント端末の要求データ更新速度を認識し、当該クライアント端末ヘの送出する設備状態情報において、高速更新データファイル１５と通常更新データファイル１６の２種類のデータファイルから要求する更新速度のデータファイルを選択する。設備状態データ処理手段１４は、その選択結果に基づき、クライアント端末ヘの配信データをＷＷＷサーバ１０ヘセットする。
【００２２】
この際、データ更新速度テーブル１２に登録している高速更新データファイル１５を配信する重要端末の数は、サーバ１の処理性能を低下させない程度に制限する必要がある。こうすることにより、高速データ更新性能を確保することができ、重要端末への安定した高速データ配信が可能となる。
【００２３】
コネクション閉設要求を行ったクライアント端末３−１〜３−Ｘでは、Ｗｅｂプラウザ３１によりサーバ１のＷＷＷサーバ１０にアクセスし、要求するデータ更新速度にて船内設備状態を監視することができる。
【図面の簡単な説明】
【００２４】
【図１】この発明の実施の形態１を示す船内設備監視システムの構成図である。
【符号の説明】
【００２５】
１  サーバ
１０  ＷＷＷサーバ
１１  アドレステーブル
１２  データ更新速度テーブル
１３  テーブル管理手段
１４  設備状態データ処理手段
１５  高速更新データファイル
１６  通常更新データファイル
２  船内設備監視制御システム
２０  船内ネットワーク
２１  監視制御装置
２２  信号入出力装置
２３  センサ類
２４  アクチュエータ類
３−１〜３−Ｘ  クライアント端末
３１  Ｗｅｂブラウザ
【図１】
2007128170.tif 000003